(57)【要約】【課題】芝の「葉焼け」を防止することができ、かつ高濃度で肥料を芝に散布することが可能な芝用肥料、懸濁組成物及び芝用肥料の施肥方法を提供する。【解決手段】少なくとも１種の肥効成分を含有する肥料組成物から形成された肥料であって、ＪＩＳ  Ｚ８８０１の「試験用ふるい」に規定されるふるい分け試験において、目開き０．２５ｍｍの試験用ふるいを通過し、目開き０．１５ｍｍの試験用ふるいを通過しない粒状体の割合が５０重量％以下であることを特徴とする芝用肥料、  前記芝用肥料を０．１〜１０重量％含んでなることを特徴とする懸濁組成物、及び  前記芝用肥料と水とを混合して前記芝用肥料を０．１〜１０重量％で含んでなる懸濁組成物を調製し、この懸濁組成物を５０〜２０００ｇ／ｍ２の割合で芝に散布することを特徴とする芝用肥料の施肥方法。【選択図】なし【特許請求の範囲】
【請求項１】
少なくとも１種の肥効成分を含有する肥料組成物から形成された肥料であって、ＪＩＳ  Ｚ８８０１の「試験用ふるい」に規定されるふるい分け試験において、目開き０．２５ｍｍの試験用ふるいを通過し、目開き０．１５ｍｍの試験用ふるいを通過しない肥料の割合が５０重量％以下であることを特徴とする、芝用肥料。
【請求項２】
平均粒径０．０１〜０．０４５ｍｍの範囲の粒子からなる、請求項１に記載の芝用肥料。
【請求項３】
酸化マグネシウム、珪酸、マンガン、ホウ素、鉄、銅、亜鉛、モリブデンおよびコバルトからなる群から選ばれた少なくとも１種の肥効成分を含んでなる、請求項１または２に記載の芝用肥料。
【請求項４】
請求項１〜３のいずれか１項に記載の芝用肥料を０．１〜１０重量％含んでなることを特徴とする、懸濁組成物。
【請求項５】
請求項１〜３のいずれかに記載の芝用肥料と水とを混合して前記芝用肥料を０．１〜１０重量％で含んでなる懸濁組成物を調製し、この懸濁組成物を５０〜２０００ｇ／ｍ２の割合で芝に散布することを特徴とする、芝用肥料の施肥方法。
【発明の詳細な説明】
【技術分野】
【０００１】
本発明は、芝用肥料および懸濁組成物ならびに芝用肥料の施肥方法に関するものである。さらに詳細には、本発明は、高濃度で散布した場合でも芝の「葉焼け」を生じさせない芝用肥料およびこれからなる懸濁組成物、ならびに芝用肥料の施肥方法に関するものである。
【背景技術】
【０００２】
従来より、ゴルフ場、競馬場、公園、庭および遊歩道等において、芝を植えることが行われており、そして、芝の成長の促進、病気の予防や回復のために、芝に肥料を施すことが行われている。
【０００３】
そのような肥料としては、保存安定性や取り扱いの容易さ等から、肥効成分を含有する肥料組成物を粒状にした粒状肥料が広く使用されている。このような粒状肥料は、一定の分散状態になるように粒状で芝上に散布され、その後の散水や雨水等によって肥効成分が溶解して芝に吸収されることになる。
【発明の開示】
【発明が解決しようとする課題】
【０００４】
しかし、肥料粒子が散水、雨水等によって溶解される迄の間、肥料粒子は粒状で芝上に留まることになることから、その粒子と芝との接触部およびその周辺部は肥効成分濃度が過度に高くなりやすかった。肥効成分が過度である場合には、所謂「葉焼け」と言われている芝の変色が斑点状に生じることがある。
【０００５】
粒状肥料を散布した後、早期に散水を行うことによって「葉焼け」を抑制することができるが、肥料粒子の散布と散水との両作業を連続して行うことは効率的でなく、また「葉焼け」を完全に防止するために多くの散水量が必要になることから、この点でも経済的とは言えなかった。なお、多量の散水は肥料の流亡を伴うことからも避けた方が良いことは言うまでもない。
【０００６】
植物の実や根等の生育を目的とする場合とは異なって、葉の色調や艶および例えば弾力性等の性状が重視される芝の肥料にあっては、過度に肥効成分濃度が高い部分が生じないようにすることは特に重要である。そして、散布回数の減少等、肥料散布の効率化を図るために、「葉焼け」を防止しつつ高濃度で肥料を散布できることも重要となる。
【０００７】
肥料に含有される全成分が水溶性の場合は液肥での対応が可能だが、非水溶性成分を含む肥料の場合はそれが困難である。
【課題を解決するための手段】
【０００８】
上記の課題を解決するために、本発明による芝用肥料は、少なくとも１種の肥効成分を含有する肥料組成物から形成された肥料であって、ＪＩＳ  Ｚ８８０１の「試験用ふるい」に規定されるふるい分け試験において、目開き０．２５ｍｍの試験用ふるいを通過し、目開き０．１５ｍｍの試験用ふるいを通過しない粒状体の割合が５０重量％以下であること、を特徴とするものである。
【０００９】
このような、本発明による芝用肥料は、好ましくは、平均粒径０．０１〜０．０４５ｍｍの範囲の粒子からなるもの、を包含する。
【００１０】
このような本発明による芝用肥料は、好ましくは、酸化マグネシウム、珪酸、マンガン、ホウ素、鉄、銅、亜鉛、モリブデンおよびコバルトからなる群から選ばれた少なくとも１種の肥効成分を含んでなるもの、を包含する。
【００１１】
そして、本発明による懸濁組成物は、前記の芝用肥料を０．１〜１０重量％含んでなること、を特徴とするものである。
【００１２】
そして、本発明による芝用肥料の施肥方法は、前記の芝用肥料と水とを混合して前記芝用肥料を０．１〜１０重量％で含んでなる懸濁組成物を調製し、この懸濁組成物を５０〜２０００ｇ／ｍ２の割合で芝に散布すること、を特徴とするものである。
【発明の効果】
【００１３】
本発明による芝用肥料は、少なくとも１種の肥効成分を含有する肥料組成物から形成された肥料であって、ＪＩＳ  Ｚ８８０１の「試験用ふるい」に規定されるふるい分け試験において、目開き０．２５ｍｍの試験用ふるいを通過し、目開き０．１５ｍｍの試験用ふるいを通過しない肥料の割合が５０重量％以下のものであることから、水と混合することにより容易に懸濁組成物を調製できるものである。
【００１４】
この懸濁組成物は、肥効成分の沈殿や偏りなどがなく、肥効成分濃度が高い場合であっても良好な懸濁状態を長期間維持可能なものであることから、芝に散布しやすいものである。
【００１５】
そして、この懸濁組成物は、前記の通りに、肥効成分濃度が高い場合であっても良好な懸濁状態が維持されていることから、肥効成分濃度が過度に高くなる部分を生じさせることなく、均一に芝上に散布可能なものである。
【００１６】
従って、本発明によれば、芝の「葉焼け」を防止することができ、かつ高濃度で肥料を芝に散布することが可能になる。このことにより、「葉焼け」の防止ための散水作業を省略することが可能になる。
【発明を実施するための最良の形態】
【００１７】
＜芝用肥料＞
本発明による芝用肥料は、少なくとも１種の肥効成分を含有する肥料組成物から形成された肥料であって、ＪＩＳ  Ｚ８８０１の「試験用ふるい」に規定されるふるい分け試験において、目開き０．２５ｍｍの試験用ふるいを通過し、目開き０．１５ｍｍの試験用ふるいを通過しない肥料の割合が５０重量％以下、好ましくは３０重量％以下、さらに好ましくは５％以下、であること、を特徴とするものである。
【００１８】
目開き０．２５ｍｍの試験用ふるいを通過しない粒状体（即ち、粒径が大きすぎる粒状体）は、良好な懸濁液を調製することが困難となり、好ましくない。良好な懸濁液を作るためには、目開き０．２５ｍｍの試験用ふるいを通過し、目開き０．１５ｍｍの試験用ふるいを通過しない粉粒物の割合は、５０重量％以下、好ましくは３０重量％以下、とする。  このような粉粒物は、平均粒径０．０１〜０．０４５ｍｍの範囲の粒子から主として構成される。
【００１９】
本発明における肥効成分は特に限定がなく、従来から芝用肥料の肥効成分をして利用されたきたものを本発明でも使用することができる。本発明の芝用肥料の好ましい肥効成分としては、例えば、酸化マグネシウム、珪酸、マンガン、ホウ素、鉄、銅、亜鉛、モリブデン、コバルト、窒素、リン酸、加里、石灰を例示することができる。酸化マグネシウムの配合量は、１〜４０重量％、好ましくは１０〜２５重量％であり、珪酸の配合量は、１〜４０重量％、好ましくは１０〜３０重量％であり、マンガンの配合量は、０．０１〜１０重量％、好ましくは０．１〜５重量％であり、ホウ素の配合量は、０．０１〜５重量％、好ましくは０．１〜１重量％であり、鉄の配合量は、０．０１〜１０重量％、好ましくは０．５〜１０重量％であり、銅の配合量は、０．００５〜５重量％、好ましくは０．０１〜２重量％であり、亜鉛の配合量は、０．００５〜５重量％、好ましくは０．０１〜２重量％であり、モリブデンの配合量は、０．００１〜１重量％、好ましくは０．００１〜０．０１重量％であり、コバルトの配合量は、０．００１〜１重量％、好ましくは０．００１〜０．０１重量％である。
【００２０】
肥料組成物を試験用ふるいに付す前には、必要に応じて、肥料組成物を造粒処理または粉砕処理に付すことができる。
【００２１】
本発明における造粒処理は特に限定されず、従来同様の造粒処理を採用することができる。たとえば、肥料組成物にアンモニア水および（または）適当なバインダー等を加えた後、円筒状、皿状、その他の公知の造粒機等を用いて造粒処理を行うことができる。
【００２２】
目開き０．２５ｍｍの試験用ふるいを通過しない粉粒物は、粉砕処理した後、再度ふるい分け処理に付すことができる。
【００２３】
＜懸濁組成物＞
本発明による懸濁組成物は、前記の芝用肥料を０．１〜１０重量％、好ましくは０．５〜２重量％、含んでなること、を特徴とするものである。
【００２４】
この懸濁組成物は、前記の芝用肥料と水とを混合することによって得ることができる。なお、本発明による懸濁組成物には、必要に応じて、この懸濁組成物に溶解または懸濁可能な各種の成分を配合することができる。そのような配合可能な成分としては、好ましくは、液体肥料、例えば窒素、リン酸、加里および石灰ならびに懸濁組成物の懸濁状態と維持または向上させる各種の懸濁助剤等を挙げることができる。
【００２５】
水の温度は、通常、常温であるが、必要に応じて、加熱または冷却することができる。
【００２６】
このような本発明による懸濁組成物は、前記の芝用肥料の各種の肥効成分のうち、水溶性の肥効成分が水に溶解し、そして非水溶性の肥効成分が水中に懸濁したものである。
【００２７】
非水溶性の肥効成分の代表例は珪酸であるが、前記の通りに、本発明の芝用肥料は目開き０．２５ｍｍの試験用ふるいを通過し、目開き０．１５ｍｍの試験用ふるいを通過しない粒状体の割合が５０重量％以下のものであることから、非水溶性の肥効成分、例えば珪酸の粒径が均一でありかつ適当な範囲内に制御されている。
【００２８】
従って、非水溶性の肥効成分が沈殿することなく懸濁液中に均一に分散していることから、芝に散布した際に、肥効成分の偏りがなく、均一に施肥することが可能になる。
【００２９】
＜芝用肥料の施肥方法＞
本発明による芝用肥料の施肥方法は、前記の芝用肥料と水とを混合して前記芝用肥料を０．１〜１０重量％で含んでなる懸濁組成物を調製し、この懸濁組成物を５０〜２０００ｇ／ｍ２、好ましくは２００〜１０００ｇ／ｍ２、の割合で芝に散布すること、を特徴とするものである。
【００３０】
懸濁組成物を散布する際は、懸濁組成物を貯留可能なタンクを備えた車両を使用して、走行しながら前記懸濁組成物をスプレーで芝に散布することが好ましい。
【００３１】
本発明による懸濁組成物は、肥効成分が沈殿することなく懸濁液中に均一に分散していることから、芝に散布した際に肥効成分の偏りがないので、５０〜２０００ｇ／ｍ２、好ましくは２００〜１０００ｇ／ｍ２、という高濃度で散布しても、芝の「葉焼け」が生じることがない。
【００３２】
本発明による芝用肥料は、例えばゴルフ場、公園、競技場、庭の芝に好適なものである。
【実施例】
【００３３】
以下の実施例は、本発明の特に好ましい具体例についてより詳細に記載するものである。
【００３４】
＜実施例１＞
肥効成分として、苦土（酸化マグネシウム）を１４重量％、珪酸（ＳｉＯ２）を１３重量％、マンガン（ＭｎＯ）を０．４重量％、ホウ素（Ｂ２Ｏ３）を０．３重量％、鉄を１．２重量％、銅を０．０２重量％、亜鉛を０．０３重量％、モリブデンを０．００４重量％含有する肥料を製造した。
【００３５】
この肥料１００ｋｇを、ＪＩＳ  Ｚ８８０１の「試験用ふるい」に規定されるふるい分け試験に従い、遠心ローラーミルで粉砕して、目開き０．２５ｍｍのふるいにかけた後、引き続き、目開き０．１５ｍｍのふるいにかけて、本発明による芝用肥料９９ｋｇを得た。この得られた芝用肥料は、平均粒径が０．０４５ｍｍ以下のものであった。  
この芝用肥料１０ｋｇと水１０００ｋｇとをタンク車の中で混合した。その結果、良好な懸濁状態を有する本発明による懸濁組成物を調製することができた。
【００３６】
＜実施例２＞
実施例１で調製された懸濁組成物を、散水のようにして、芝（品種：ペンクロスベント）に、１０００ｇ／ｍ２の割合で散布した。  
散布直後、散布１時間後、散布２時間後に、芝の状態を目視によって観察して、芝の「葉焼け」の有無およびその状態を調べた。  
結果は、表１に示される通りである。
【００３７】
＜比較例１＞
実施例１と同様の肥効成分を含有する肥料を製造し、この肥料をふるい分け試験に付し、目開き０．２５ｍｍのふるいにかけた後、目開き０．１５ｍｍのふるいにかけて、目開き０．１５ｍｍのふるいを通過しない粒状体の割合が６０重量％の肥料を得た。  実施例１と同様に、肥料１０ｋｇと水１０００ｋｇとをタンク車の中で混合したが、良好な状態の懸濁液を得ることはできなかった。
【００３８】
一方、上記で得られた肥料を、実施例１と同様に、芝（品種：ペンクロスベント）に、１０ｇ／ｍ２の割合で散布した後、水を１リットル／ｍ２の割合で散水した。  
散布直後、散布１時間後、散布２時間後に、芝の状態を目視によって観察して、芝の「葉焼け」の有無およびその状態を調べた。  
結果は、表１に示される通りである。
【００３９】
＜比較例２＞
水のみを芝（品種：ペンクロスベント）に１０００ｇ／ｍ２の割合で散水した。  
結果は、表１に示される通りである。
【表１】
2007153654.tif 000002